(57)【要約】【課題】他人が撮影した画像を取得して、他人の意図を撮影者に伝達する撮像装置を提供する。【解決手段】撮影システム１は、デジタルカメラ１００とデバイス２００とを含む。デバイス２００は、デバイス撮像部２２０で取得された画像をデバイス画像処理部で画像処理し、デバイス通信部２３８を介してデジタルカメラ１００に送信する。デジタルカメラ１００は、デバイス２００から画像を取得し、デジタルカメラ１００の動作に反映する。例えばデバイス２００から取得された画像は、デジタルカメラ１００で撮影された画像と共にカメラ表示部１２８に表示され、デバイス２００の使用者の意図が、デジタルカメラ１００の撮影者に伝達される。【選択図】図１
2015211236.tif 000002
【特許請求の範囲】
【請求項１】
被写体像を撮像して第１の画像を取得する第１の撮像部と、
外部機器から当該外部機器によって撮像された第２の画像と前記外部機器を用いて入力された前記第２の画像上の位置に関する情報とを取得する第１の通信部と、
前記第２の画像に基づく画像と前記位置に関する情報とを前記第１の画像に基づく画像と共に表示する表示部と
を具備する撮像装置。
【請求項２】
前記第１の通信部は、前記第１の画像を前記外部機器に送信する、請求項１に記載の撮像装置。
【請求項３】
ズーム光学系と、
前記第２の画像に基づいて前記第１の撮像部による撮像範囲を決定し、前記ズーム光学系を制御する制御部と
をさらに具備する請求項１に記載の撮像装置。
【請求項４】
前記制御部は、前記第１の画像に含まれる第１の被写体の角度と、前記第１の画像と同時に取得された前記第２の画像に含まれる前記第１の被写体の角度とに基づいて、前記撮像範囲を算出し、前記ズーム光学系を制御する、請求項３に記載の撮像装置。
【請求項５】
第１の操作を受け付ける操作部と、
前記第１の撮像部で取得した第１の画像から前記第１の操作に応じた領域を切り出して第３の画像を生成し、前記第１の画像から前記第２の画像に応じた領域を切り出して第４の画像を生成する画像処理部と
をさらに具備する請求項３又は４に記載の撮像装置。
【請求項６】
前記第２の画像を取得する第２の撮像部と、
前記第２の画像上の位置に関する情報の入力を受け付ける機器操作部と、
請求項２に記載の撮像装置から送信された前記第１の画像を取得し、前記第２の画像と前記位置に関する情報とを前記撮像装置に送信する第２の通信部と
を具備する請求項２に記載の撮像装置と共に用いられる機器。
【請求項７】
前記第１の画像に基づく画像と前記第２の画像に基づく画像とを表示する機器表示部をさらに具備する請求項６に記載の機器。
【請求項８】
請求項１乃至５のうち何れか１項に記載の撮像装置と、
前記第２の画像を取得する第２の撮像部と前記第２の画像上の位置に関する情報の入力を受け付ける機器操作部と前記第２の画像及び前記位置に関する情報を前記撮像装置に送信する第２の通信部とを備える前記外部機器と
を具備する撮影システム。
【発明の詳細な説明】
【技術分野】
【０００１】
本発明は、撮像装置、撮像装置と共に用いられる機器、及び撮影システムに関する。
【背景技術】
【０００２】
他のカメラで撮影した画像情報などを取得して、その情報を利用するカメラが知られている。例えば特許文献１には、次のような撮像装置に係る技術が開示されている。この撮像装置では、他のカメラで撮影した映像情報に基づいて得られた撮影時の明るさ推定情報や、色温度推定情報や、天候推定情報等の検知情報を取得する。この撮像装置は、取得した検知情報を用いて、撮影条件を制御したり、ダイナミックレンジ拡大処理やホワイトバランス処理等の画質補正処理を制御したりする。
【先行技術文献】
【特許文献】
【０００３】
【特許文献１】特開２０１１−２５４３３９号公報
【発明の概要】
【発明が解決しようとする課題】
【０００４】
撮影者が撮影を行っているとき、他の人がその撮影について、撮影者に撮影してもらいたい場面を伝えたいときがある。このようなときに、当該他の人は、その人が操作する撮影機能を有する機器によって画像を取得して、この画像によって撮影者に希望する構図等を伝えることができると便利である。撮影者は、他の人が希望する構図を知ることができれば、その構図に基づいた撮影を行うことができる。
【０００５】
そこで本発明は、他人が撮影した画像を取得して、他人の意図を撮影者に伝達する撮像装置、撮像装置と共に用いられる機器、及び撮影システムを提供することを目的とする。
【課題を解決するための手段】
【０００６】
前記目的を果たすため、本発明の一態様によれば、撮像装置は、被写体像を撮像して第１の画像を取得する第１の撮像部と、外部機器から当該外部機器によって撮像された第２の画像と前記外部機器を用いて入力された前記第２の画像上の位置に関する情報とを取得する第１の通信部と、前記第２の画像に基づく画像と前記位置に関する情報とを前記第１の画像に基づく画像と共に表示する表示部とを具備する。
【０００７】
また、本発明の一態様によれば、前記撮像装置と共に用いられる機器は、前記第２の画像を取得する第２の撮像部と、前記第２の画像上の位置に関する情報の入力を受け付ける機器操作部と、請求項２に記載の撮像装置から送信された前記第１の画像を取得し、前記第２の画像と前記位置に関する情報とを前記撮像装置に送信する第２の通信部とを具備する。
【０００８】
また、本発明の一態様によれば、撮影システムは、前記撮像装置と、前記第２の画像を取得する第２の撮像部と前記第２の画像上の位置に関する情報の入力を受け付ける機器操作部と前記第２の画像及び前記位置に関する情報を前記撮像装置に送信する第２の通信部とを備える前記外部機器とを具備する。
【発明の効果】
【０００９】
本発明によれば、他人が撮影した画像を取得して、他人の意図を撮影者に伝達する撮像装置、撮像装置と共に用いられる機器、及び撮影システムを提供できる。
【図面の簡単な説明】
【００１０】
【図１】本発明の第１の実施形態に係る撮影システムの概略を示すブロック図。
【図２】第１の実施形態に係るデジタルカメラの構成例の概略を示すブロック図。
【図３】撮影システムが用いられる場面について説明するための図。
【図４】第１の実施形態に係るデバイス表示部及びカメラ表示部に表示される画像の一例の概略を示す図。
【図５】第１の実施形態に係るカメラメイン制御における処理の一例を示すフローチャート。
【図６】第１の実施形態に係るデバイス通信制御における処理の一例を示すフローチャート。
【図７】第１の実施形態に係るスルー画表示処理における処理の一例を示すフローチャート。
【図８Ａ】第１の実施形態に係るデバイスメイン制御における処理の一例を示すフローチャート。
【図８Ｂ】第１の実施形態に係るデバイスメイン制御における処理の一例を示すフローチャート。
【図９】第２の実施形態に係るデバイス表示部及びカメラ表示部に表示される画像、並びに撮像素子上の被写体像の一例の概略を示す図。
【図１０Ａ】第２の実施形態に係るカメラメイン制御における処理の一例を示すフローチャート。
【図１０Ｂ】第２の実施形態に係るカメラメイン制御における処理の一例を示すフローチャート。
【図１１】第２の実施形態に係るデバイス通信制御における処理の一例を示すフローチャート。
【図１２】第２の実施形態に係るズーム制御における処理の一例を示すフローチャート。
【図１３】第２の実施形態に係る画像処理における処理の一例を示すフローチャート。
【図１４】第２の実施形態に係るスルー画表示処理における処理の一例を示すフローチャート。
【図１５Ａ】第２の実施形態に係るデバイスメイン制御における処理の一例を示すフローチャート。
【図１５Ｂ】第２の実施形態に係るデバイスメイン制御における処理の一例を示すフローチャート。
【図１６】第２の実施形態に係るズーム動作について説明するための図。
【図１７】第２の実施形態の第１の変形例が適用される場面について説明するための図。
【図１８】第２の実施形態の第１の変形例に係る角度の求め方について説明するための図。
【図１９】第２の実施形態の第１の変形例に係る変更画角算出処理における処理の一例を示すフローチャート。
【図２０】第２の実施形態の第１の変形例に係るズーム操作要求送信処理における処理の一例を示すフローチャート。
【図２１】第２の実施形態の第１の変形例に係る角度の求め方について説明するための図。
【発明を実施するための形態】
【００１１】
［第１の実施形態］
本発明の第１の実施形態について図面を参照して説明する。本実施形態に係る撮影システム１の構成の概略を図１に示す。撮影システム１は、デジタルカメラ１００と、デバイス２００とを含む。デジタルカメラ１００は、撮像を行うための一般的なデジタルカメラの機能を有している。デバイス２００には、デジタルカメラと同様の機能を有している各種端末が用いられ得る。デバイス２００には、例えばデジタルカメラ、スマートフォン、タブレット端末、携帯ゲーム器等、種々の機器が用いられ得る。
【００１２】
デジタルカメラ１００は、カメラ演算部１１０と、カメラ撮像部１２０と、カメラ表示部１２８と、カメラタッチパネル１３０と、カメラ記録部１３４と、カメラ操作部１３６と、カメラ通信部１３８とを備える。カメラ撮像部１２０は、レンズ等を含む撮像光学系や、撮像素子や、画像信号を処理する回路を含み、被写体像に基づいて、画像信号を作成する。
【００１３】
カメラ演算部１１０は、各種演算を行う。カメラ演算部１１０には、演算装置や記憶部等が設けられている。カメラ演算部１１０は、カメラ制御部１１１とカメラ画像処理部１１２とを有する。カメラ制御部１１１は、デジタルカメラ１００の各部の動作を制御する。カメラ画像処理部１１２は、カメラ撮像部１２０で作成された画像信号に対して画像処理を行い、各種画像信号を作成する。
【００１４】
カメラ表示部１２８は、撮像された画像やデジタルカメラ１００に関する各種情報を表示する表示部である。カメラタッチパネル１３０は、カメラ表示部１２８上に設けられたタッチパネルであり、ユーザが行ったタッチ操作に係る情報を取得する。カメラ記録部１３４は、デジタルカメラ１００によって取得された静止画や動画を記録する。カメラ操作部１３６は、ユーザがデジタルカメラ１００を操作するための各種スイッチやボタン等を含む。カメラ通信部１３８は、デバイス２００等、他の機器と通信を行う。
【００１５】
デバイス２００は、デバイス演算部２１０と、デバイス撮像部２２０と、デバイス表示部２２８と、デバイスタッチパネル２３０と、デバイス記録部２３４と、デバイス操作部２３６と、デバイス通信部２３８とを有する。デバイス演算部２１０、デバイス撮像部２２０、デバイス表示部２２８、デバイスタッチパネル２３０、デバイス記録部２３４、デバイス操作部２３６、デバイス通信部２３８は、それぞれデジタルカメラ１００の、カメラ演算部１１０、カメラ撮像部１２０、カメラ表示部１２８、カメラタッチパネル１３０、カメラ記録部１３４、カメラ操作部１３６、カメラ通信部１３８に相当する機能を有する。
【００１６】
デジタルカメラ１００の具体的な構成例を図２を参照して説明する。デジタルカメラ１００は、レンズユニット１６０と、本体ユニット１７０とを有する。レンズユニット１６０と本体ユニット１７０とは、インタフェース（Ｉ／Ｆ）１６５を介して接続されている。
【００１７】
レンズユニット１６０は、カメラ撮像部１２０のうち光学系に係る部分を構成する。レンズユニット１６０は、レンズ１６１と、絞り１６２と、ドライバ１６３と、マイクロコンピュータ（マイコン）１６４とを備える。レンズ１６１は、被写体像を後述する撮像素子１７１上に結像させるためのレンズであり、複数のレンズを含む。レンズ１６１に含まれる各レンズは、焦点距離の変更や合焦位置の変更のため、その位置関係を変化させる。絞り１６２は、撮像素子１７１に入射する被写体像の光量を調整するための絞りである。
【００１８】
ドライバ１６３は、レンズ１６１や絞り１６２を駆動するドライバであり、レンズ１６１に含まれる各レンズの位置関係を変化させたり、絞りの開口度を変化させたりする。マイコン１６４は、ドライバ１６３を制御するためのマイクロコンピュータである。マイコン１６４は、本体ユニット１７０から制御信号を取得し、この制御信号に基づいてドライバ１６３の動作を制御する。
【００１９】
本体ユニット１７０は、撮像素子１７１と、ＣＰＵ１７２と、ＳＤＲＡＭ１７３と、Ｆｌａｓｈメモリ１７４と、画像処理部１７５と、顔検出部１７６と、メモリインタフェース（Ｉ／Ｆ）１７７と、記録媒体１７８と、カメラ間通信部１７９と、外部通信部１８０と、地磁気センサ＆ＧＰＳ１８１と、加速度センサ１８２と、時計１８３と、操作制御部１８４と、操作部１８５と、液晶ディスプレイ（ＬＣＤ）ドライバ１８６と、液晶ディスプレイ（ＬＣＤ）１８７と、レンズユニット１６０との通信を行う通信部１８８とを備える。
【００２０】
撮像素子１７１は、カメラ撮像部１２０のうち画像信号の生成に係る部分を構成する。撮像素子１７１は、例えばＣＣＤやＣＭＯＳを含む。撮像素子１７１は、レンズ１６１によって結像された被写体像に基づいて、光電変換によって画像信号を生成する。
【００２１】
ＣＰＵ１７２は、デジタルカメラ１００の各部の動作のための各種演算を行う。ＳＤＲＡＭ１７３は、ＣＰＵ１７２による演算に必要な情報を一時記憶する。Ｆｌａｓｈメモリ１７４は、ＣＰＵ１７２による演算に必要な各種プログラム等を記憶する。ＣＰＵ１７２、ＳＤＲＡＭ１７３、Ｆｌａｓｈメモリ１７４は、全体として、カメラ制御部１１１を構成する。
【００２２】
画像処理部１７５は、撮像素子１７１で生成された画像信号に基づいて、各種画像処理を行う。顔検出部１７６は、撮像素子１７１で生成され画像処理部１７５で処理される画像について、その画像に含まれる顔を検出する処理を行う。画像処理部１７５及び顔検出部１７６は、それぞれＡＳＩＣを含み得る。画像処理部１７５及び顔検出部１７６は、それぞれカメラ画像処理部１１２を構成する。
【００２３】
記録媒体１７８は、一般に用いられる記録媒体であり、例えばＦｌａｓｈメモリを含む。記録媒体１７８は、デジタルカメラ１００から取り外し可能である。メモリインタフェース（Ｉ／Ｆ）１７７は、記録媒体１７８とデジタルカメラ１００とを接続するインタフェースである。メモリＩ／Ｆ１７７及び記録媒体１７８によってカメラ記録部１３４が構成される。
【００２４】
カメラ間通信部１７９は、デジタルカメラ１００と他のカメラとの間の通信を行うための通信部である。外部通信部１８０は、デジタルカメラ１００と外部の機器との通信を行うための通信部である。カメラ間通信部１７９又は外部通信部１８０によってカメラ通信部１３８が構成される。
【００２５】
地磁気センサ＆ＧＰＳ１８１は、地磁気を検出する。地磁気センサ＆ＧＰＳ１８１は、検出した地磁気に基づいて、デジタルカメラ１００が向いている方向を算出する。また、地磁気センサ＆ＧＰＳ１８１は、ＧＰＳ信号を検出する。地磁気センサ＆ＧＰＳ１８１は、検出したＧＰＳ信号に基づいて、デジタルカメラ１００の位置を算出する。加速度センサ１８２は、重力加速度を検出する。加速度センサ１８２は、検出した重力加速度に基づいて、デジタルカメラ１００の姿勢を算出する。時計１８３は、現在の時刻を取得するための時計である。
【００２６】
操作部１８５は、レリーズスイッチや、録画ボタンや、十字キー等、ユーザの指示を取得するための各種スイッチ等を含む。また、操作部１８５は、タッチパネルを含む。操作制御部１８４は、操作部１８５の動作を制御するための制御部である。操作部１８５及び操作制御部１８４は、カメラタッチパネル１３０やカメラ操作部１３６を構成する。
【００２７】
液晶ディスプレイ（ＬＣＤ）１８７は、デジタルカメラ１００で取得したスルー画を表示したり、デジタルカメラ１００で撮影した静止画や動画を表示したり、デジタルカメラ１００に係る各種情報を表示したりするための表示装置である。ＬＣＤに限らず、有機ＥＬディスプレイなど、他の表示装置に置き換えられてもよい。液晶ディスプレイ（ＬＣＤ）ドライバ１８６は、ＬＣＤ１８７を駆動するドライバである。ＬＣＤ１８７及びＬＣＤドライバ１８６は、カメラ表示部１２８を構成する。
【００２８】
デバイス２００は、デジタルカメラ１００と同様の構成を有し得る。また、デバイス２００が例えばスマートフォンであるとき、デジタルカメラ１００のＣＰＵ１７２、画像処理部１７５及び顔検出部１７６の機能は、例えばＣＰＵによって実現されてもよい。また、デバイス２００の操作部１８５は、タッチパネルと電源ボタン等のみを含み、レリーズスイッチなどを有さなくてもよい。
【００２９】
本撮影システム１による動作の概要を図３及び図４を参照して説明する。図３は、本撮影システム１を用いる場面の概略を表す。図４は、デバイス２００のデバイス表示部２２８に表示される画像とデジタルカメラ１００のカメラ表示部１２８に表示される画像との概略を示す。図４において、上段（２行目）はデバイス２００のデバイス表示部２２８に表示される画像を示す。図４において、下段（３行目）はデジタルカメラ１００のカメラ表示部１２８に表示される画像を示す。なお、図４の下段のＤ列においては、スルー画６３２内に重畳表示される画像６５２部分を分かりやすさのために下部に拡大して示している。
【００３０】
図３に示すように、第１のユーザ９０１がデジタルカメラ１００を操作して撮影を行っているものとする。このとき、第１のユーザ９０１が撮影している範囲は、第１の撮影範囲９２１であるとする。ここで、デバイス２００を操作している第２のユーザ９０２は、第１のユーザ９０１に、第１の撮影範囲９２１と異なる第２の撮影範囲９２２で撮影をしてほしいと希望した場合を考える。ただし、第１のユーザ９０１と第２のユーザ９０２とは、離れた位置にいたり、声を出せない状況にあったりする等のため、声等によって意思疎通を行えないものとする。
【００３１】
本撮影システム１では、まず、第２のユーザ９０２は、デバイス２００を操作して、図４のＡ列に示すように、デバイス表示部２２８に表示されたカメラ連携アプリを示すカメラ連携アイコン６０２をタッチする。その結果、カメラ連携アプリが起動する。すると、図４のＢ列に示すように、デバイス表示部２２８には、上部にデジタルカメラ１００で撮影しているスルー画である画像６１２が表示され、下部に構図リクエストモードを開始するためのアイコンである割り込みアイコン６０４が表示される。
【００３２】
第２のユーザ９０２が構図リクエストモードを開始するための割り込みアイコン６０４をタッチすると、デバイス２００は撮影を開始し、図４のＣ列に示すように、デバイス２００によって撮影されたスルー画である画像６２２がデバイス表示部２２８に表示される。第２のユーザ９０２は、画像６２２を確認しながら構図を決定し、自身が注目している位置をタッチすることでタッチレリーズする。デバイス２００は、タッチレリーズに応じて撮影動作を行い、撮影した画像をデジタルカメラ１００に送信する。
【００３３】
第１のユーザ９０１が操作するデジタルカメラ１００のカメラ表示部１２８には、図４のＢ列に示すように、デジタルカメラ１００で撮影している画像のスルー画６３２がカメラ表示部１２８に表示されている。デバイス２００によって撮影された画像をデジタルカメラ１００が受信すると、図４のＣ列に示すように、カメラ表示部１２８には構図リクエストアイコン６４２が表示される。
【００３４】
第１のユーザ９０１が、この構図リクエストアイコン６４２をタッチすると、図４のＤ列に示すように、カメラ表示部１２８には、デバイス２００で撮影された画像６５２と、第２のユーザ９０２がタッチした位置を示す枠６５４とがスルー画６３２に重畳表示される。第１のユーザ９０１は、この表示によって、第２のユーザ９０２が撮影を希望している画像を知ることができる。また、第１のユーザ９０１は、画像６５２における第２のユーザ９０２がタッチした位置、すなわち、例えば第２のユーザ９０２が注目している位置を知ることができる。なお、ここで、デバイス２００によってその位置が入力されてカメラ表示部１２８に表示される枠６５４の大きさや位置などは、第２のユーザ９０２によって変更され得るように構成されてもよい。
【００３５】
以上のような動作を行わせるために、デジタルカメラ１００において行われるカメラメイン制御に係る処理を図５乃至図７に示すフローチャートを参照して説明する。デジタルカメラ１００の電源がＯＮにされると、図５に示すカメラメイン制御が開始する。
【００３６】
ステップＳ１０１において、カメラ制御部１１１は、電源がＯＦＦにされたか否かを判定する。ＯＦＦにされたと判定されたとき、カメラメイン制御は終了する。一方、ＯＦＦにされていないと判定されたとき、処理はステップＳ１０２に進む。
【００３７】
ステップＳ１０２において、カメラ制御部１１１は、デジタルカメラ１００の各部を制御して撮像動作を行わせる。すなわち、カメラ制御部１１１は、合焦レンズを駆動させてオートフォーカス処理を行ったり、露出を調整したりする。カメラ制御部１１１は、カメラ撮像部１２０の動作を制御して、カメラ撮像部１２０に画像信号を生成させる。ステップＳ１０３において、カメラ制御部１１１は、カメラ画像処理部１１２にカメラ撮像部１２０で生成された画像信号について、スルー画として適切な画像を生成する一般的な画像処理を行わせる。カメラ制御部１１１は、カメラ表示部１２８にスルー画を表示させる。ステップＳ１０４において、カメラ制御部１１１は、カメラ画像処理部１１２に画像処理を行わせてデバイス２００に転送するデバイス転送用画像を生成させる。ステップＳ１０４では、例えばスルー画が小さくリサイズされる。
【００３８】
ステップＳ１０５において、カメラ制御部１１１は、デバイス通信制御を行う。デバイス通信制御について図６に示すフローチャートを参照して説明する。ステップＳ２０１において、カメラ制御部１１１は、デバイス通信モードがＯＮであるか否かを判定する。すなわち、カメラ制御部１１１は、デバイス２００と通信を行うように設定されているか否かを判定する。デバイス通信モードがＯＮではないと判定されたとき、処理は図５を参照して説明しているカメラメイン制御に戻る。一方、デバイス通信モードがＯＮであると判定されたとき、処理はステップＳ２０２に進む。
【００３９】
ステップＳ２０２において、カメラ制御部１１１は、デバイス２００との接続が確立されているか否かを判定する。接続が確立されていないと判定されたとき、処理はステップＳ２０３に進む。ステップＳ２０３において、カメラ制御部１１１は、デバイス２００を探索する。カメラ制御部１１１は、デバイス２００を発見したら、デバイス２００にデジタルカメラ１００に係る情報を送信する。その後、処理はカメラメイン制御に戻る。
【００４０】
ステップＳ２０２においてデバイス２００との接続が確立されていると判定されたとき、処理はステップＳ２０４に進む。ステップＳ２０４において、カメラ制御部１１１は、ステップＳ１０４で作成したスルー画であるデバイス転送用画像を、カメラ通信部１３８を介してデバイス２００に送信する。その後、処理はステップＳ２０５に進む。
【００４１】
ステップＳ２０５において、カメラ制御部１１１は、デバイス２００から画像を受信しているか否かを判定する。ここで、デバイス２００から受信する画像とは、図４のＣ列に示したように、第２のユーザ９０２がデバイス２００を用いて撮影した画像６２２のことである。画像を受信していないと判定されたとき、処理はカメラメイン制御に戻る。一方、画像を受信していると判定されたとき、処理はステップＳ２０６に進む。ステップＳ２０６において、カメラ制御部１１１は、デバイス２００から受信した画像を記憶部に保存する。その後、処理はカメラメイン制御に戻る。
【００４２】
図５に戻ってカメラメイン制御について説明を続ける。デバイス通信制御の後、ステップＳ１０６において、カメラ制御部１１１は、スルー画表示処理を行う。スルー画表示処理について、図７に示すフローチャートを参照して説明する。
【００４３】
ステップＳ３０１において、カメラ制御部１１１は、ステップＳ２０６で保存した受信画像があるか否かを判定する。受信画像がないと判定されたとき、処理はステップＳ３０６に進む。一方、受信画像があると判定されたとき、処理はステップＳ３０２に進む。ステップＳ３０２において、カメラ制御部１１１は、構図リクエストアイコン６４２がタッチされたか否かを判定する。構図リクエストアイコン６４２がタッチされていないと判定されたとき、処理はステップＳ３０３に進む。ステップＳ３０３において、カメラ制御部１１１は、図４のＣ列に示すように、カメラ表示部１２８に構図リクエストアイコン６４２を表示させるため、構図リクエストアイコン６４２をデジタルカメラ１００で撮像されたスルー画に重畳させる処理を行う。その後、処理はステップＳ３０６に進む。
【００４４】
ステップＳ３０２において構図リクエストアイコン６４２がタッチされたと判定されたとき、処理はステップＳ３０４に進む。ステップＳ３０４において、カメラ制御部１１１は、デバイス２００で撮像されて記憶部に記憶された画像６５２をカメラ表示部１２８に表示させるため、画像６５２をデジタルカメラ１００で撮像されたスルー画に重畳させる処理を行う。ステップＳ３０５において、カメラ制御部１１１は、さらに受信画像のタッチ位置を示す枠６５４をスルー画に表示させる。その結果、重畳画像は、例えば図４のＤ列に示すような画像になる。その後、処理はステップＳ３０６に進む。
【００４５】
ステップＳ３０６において、カメラ制御部１１１は、スルー画又はスルー画に受信画像等が重畳された画像をカメラ表示部１２８に表示させる。その後、処理はカメラメイン制御に戻る。
【００４６】
図５に戻ってカメラメイン制御について説明を続ける。スルー画表示処理の後、ステップＳ１０７において、カメラ制御部１１１は、ズーム操作がされたか否かを判定する。ズーム操作は、例えばカメラ操作部１３６のズームボタンが押圧されることで行われる。ズーム操作がされていないと判定されたとき、処理はステップＳ１０９に進む。一方、ズーム操作がされたと判定されたとき、処理はステップＳ１０８に進む。ステップＳ１０８において、カメラ制御部１１１は、入力されたズーム操作に従って、カメラ撮像部１２０のレンズユニットのズーム動作を制御する。その後、処理はステップＳ１０９に進む。
【００４７】
ステップＳ１０９において、カメラ制御部１１１は、動画記録がＯＮであるか否かを判定する。例えばカメラ操作部１３６の動画記録ボタンが押圧されたとき、動画記録がＯＮとなる。動画記録がＯＮでないと判定されたとき、処理はステップＳ１１１に進む。一方、動画記録がＯＮであると判定されたとき、処理はステップＳ１１０に進む。ステップＳ１１０において、カメラ制御部１１１は、動画記録処理を行う。すなわち、カメラ撮像部１２０で撮像された画像信号について、カメラ画像処理部１１２に動画用の処理を行わせ、生成された動画像をカメラ記録部１３４に記録する。その後、処理はステップＳ１１１に進む。
【００４８】
ステップＳ１１１において、カメラ制御部１１１は、静止画撮影がＯＮであるか否かを判定する。例えばカメラ操作部１３６のレリーズボタンが押圧されたとき、静止画撮影がＯＮとなる。静止画撮影がＯＮでないと判定されたとき、処理はステップＳ１０１に戻る。一方、静止画撮影がＯＮであると判定されたとき、処理はステップＳ１１２に進む。ステップＳ１１２において、カメラ制御部１１１は、静止画撮影処理を行う。すなわち、カメラ制御部１１１は、カメラ撮像部１２０で撮像された画像信号について、カメラ画像処理部１１２に静止画用の処理を行わせる。カメラ制御部１１１は、生成された静止画をカメラ記録部１３４に記録させる。その後、処理はステップＳ１０１に戻る。
【００４９】
次に、デバイス２００において行われるデバイスメイン制御に係る処理を図８Ａ及び図８Ｂに示すフローチャートを参照して説明する。ステップＳ４０１において、デバイス制御部２１１は、デバイス２００の電源がＯＦＦにされたか否かを判定する。電源がＯＦＦにされたと判定されたとき、デバイスメイン制御は終了する。一方、ＯＦＦにされていないと判定されたとき、処理はステップＳ４０２に進む。
【００５０】
ステップＳ４０２において、デバイス制御部２１１は、例えば図４のＡ列に示すような、カメラ連携アイコン６０２がタッチされたか否かを判定する。カメラ連携アイコン６０２がタッチされていないと判定されたとき、処理はステップＳ４１６に進む。一方、カメラ連携アイコン６０２がタッチされたと判定されたとき、処理はステップ４０３に進む。
【００５１】
ステップＳ４０３において、デバイス制御部２１１は、カメラ連携アプリを起動する。ステップＳ４０４において、デバイス制御部２１１は、カメラ連携アプリ終了の指示が入力されたか否かを判定する。終了の指示が入力されたと判定されたとき、処理はステップＳ４１６に進む。一方、カメラ連携アプリが終了されていないと判定されたとき、処理はステップＳ４０５に進む。
【００５２】
ステップＳ４０５において、デバイス制御部２１１は、デジタルカメラ１００との通信が確立されているか否かを判定する。通信が確立されていないと判定されたとき、処理はステップＳ４０６に進む。ステップＳ４０６において、デバイス制御部２１１は、デジタルカメラ１００を探索する。ステップＳ４０７において、デバイス制御部２１１は、デジタルカメラ１００が見つかったか否かを判定する。デジタルカメラ１００が見つからなかったと判定されたとき、処理はステップＳ４０４に戻る。一方、デジタルカメラ１００が見つかったと判定されたとき、処理はステップＳ４０８に進む。ステップＳ４０８において、デバイス制御部２１１は、デジタルカメラ１００との通信を確立するための初期接続制御を行う。デジタルカメラ１００を発見したとき、デジタルカメラ１００では、図６を参照して説明したデバイス通信制御のステップＳ２０３の処理が行われる。このとき、デジタルカメラ１００からは、デジタルカメラ１００の情報がデバイス２００へと送信されている。デバイス２００では、デジタルカメラ１００から取得した情報に基づいて、通信を確立するための処理を行う。その後、処理はステップＳ４０４に戻る。
【００５３】
ステップＳ４０５において、デジタルカメラ１００との通信が確立されていると判定されたとき、処理はステップＳ４０９に進む。ステップＳ４０９において、デバイス制御部２１１は、デジタルカメラ１００からスルー画を受信しているか否かを判定する。スルー画を受信していないと判定されたとき、処理はステップＳ４１１に進む。一方、スルー画を受信していると判定されたとき、処理はステップＳ４１０に進む。ステップＳ４１０において、デバイス制御部２１１は、図４のＢ列に示すように、デジタルカメラ１００から受信したデジタルカメラ１００が撮影した画像６１２を、デバイス表示部２２８に表示させる。この表示により、第２のユーザ９０２は、第１のユーザ９０１が撮影している画像を、自身が有するデバイス２００によって確認することができる。その後、処理はステップＳ４１１に進む。
【００５４】
ステップＳ４１１において、デバイス制御部２１１は、構図リクエストモードがＯＮであるか否かを判定する。構図リクエストモードは、図４のＢ列に示すような、構図リクエストモードを開始するための割り込みアイコン６０４がタッチされることで開始する。第２のユーザ９０２は、第１のユーザ９０１が撮影しているデジタルカメラ１００の画像６１２に対して要望があるとき、構図についてのリクエストを行うために、構図リクエストモードを開始するための割り込みアイコン６０４をタッチする。構図リクエストモードがＯＮでないと判定されたとき、処理はステップＳ４０４に戻る。一方、構図リクエストモードがＯＮであると判定されたとき、処理はステップＳ４１２に進む。ステップＳ４１２において、デバイス制御部２１１は、図４のＣ列に示すように、画像６２２を、デバイス画像としてデバイス表示部２２８に表示させる。ここで、画像６２２は、デバイス撮像部２２０で撮像され、デバイス画像処理部２１２で画像処理されて作成された画像である。
【００５５】
ステップＳ４１３において、デバイス制御部２１１は、タッチ撮影操作があったか否かを判定する。タッチ撮影操作がなかったと判定されたとき、処理はステップＳ４０４に戻る。一方、タッチ撮影操作があったと判定されたとき、処理はステップＳ４１４に進む。
【００５６】
ステップＳ４１４において、デバイス制御部２１１は、撮影処理を行う。すなわち、デバイス制御部２１１は、デバイス撮像部２２０に撮像処理を行わせ、デバイス画像処理部２１２に取得された画像信号について画像処理させる。その結果、デバイス静止画像が生成される。また、デバイス制御部２１１は、取得された画像において、第２のユーザがタッチしたタッチ位置を取得する。ステップＳ４１５において、デバイス制御部２１１は、ステップＳ４１４において取得したデバイス静止画像とタッチ位置とをデジタルカメラ１００に送信する。その結果、デジタルカメラ１００では、デバイス静止画像が受信され、スルー画表示処理のステップＳ３０３の処理によって、図４のＣ列に示すように、構図リクエストアイコンが６４２表示されることになる。さらに、構図リクエストアイコン６４２がタッチされると、スルー画表示処理のステップＳ３０４及びステップＳ３０５の処理によって、図４のＤ列に示すように、デバイス２００によって撮影された画像６５２とタッチ位置を示す枠６５４とが表示されることになる。その後、処理はステップＳ４０４に戻る。
【００５７】
ステップＳ４１６では、デバイス制御部２１１は、カメラ連携アプリに係る処理以外の処理を行う。すなわち、デバイス制御部２１１は、例えば通話に係る処理や、Ｅメールに係る処理や、インターネットブラウジングに係る処理を行う。その後、処理はステップＳ４０１に戻る。
【００５８】
以上のように動作する本実施形態によれば、カメラ表示部１２８にデバイス２００によって撮影された画像６５２とタッチ位置を示す枠６５４とが表示される。したがって、デジタルカメラ１００を操作する第１のユーザ９０１は、第２のユーザ９０２が撮影してほしいと考えている画角や第２のユーザ９０２が注目している被写体を知ることができる。その結果、第１のユーザ９０１は、第２のユーザ９０２の意図を踏まえて、デジタルカメラ１００を操作して、第２のユーザが所望するような動画や静止画を撮影することができる。また、カメラ表示部１２８には、デジタルカメラ１００で撮像されたスルー画にデバイス２００によって撮影された画像が重畳されるので、第１のユーザ９０１は、第１のユーザ９０１が現在撮影している画像と第２のユーザが所望する画像とを容易に比較することができ、その違いをよく認識することができる。第２のユーザ９０２は、第１のユーザに自身の意図を第１のユーザ９０１に画像によって伝達することができる。
【００５９】
なお、本実施形態では、第２のユーザ９０２がレリーズの際にタッチした位置の情報がデジタルカメラ１００に送信される。しかしながらこれに限らず、第２のユーザが撮影後に、別途注目する位置等のデバイス２００によって撮影された画像６５２上の位置に関する情報をデジタルカメラ１００に送信できるように構成されてもよい。例えば撮影により得られた画像に所望の書き込みを行うことができるようにデバイス２００が構成されてもよい。
【００６０】
本実施形態では、撮影システム１に含まれる機器として、デジタルカメラ１００と例えばスマートフォンといったデバイス２００との組み合わせを例に挙げた。しかしながら撮影システムに含まれる機器はこれに限らない。例えばデジタルカメラ１００の機能もデバイス２００の機能もスマートフォンによって担われてもよい。また、例えばデジタルカメラ１００の機能をタブレット端末で担い、デバイス２００の機能を携帯ゲーム機で担ってもよい。
【００６１】
［第２の実施形態］
第２の実施形態について説明する。ここでは、第１の実施形態との相違点について説明し、同一の部分については、同一の符号を付してその説明を省略する。第２の実施形態に係るデジタルカメラ１００及びデバイス２００の動作の概要を図９を参照して説明する。本実施形態に係る撮影システム１では、第２のユーザ９０２がデバイス２００を用いて第１のユーザ９０１が操作するデジタルカメラ１００を操作する。
【００６２】
図９において、上段（２行目）は、デバイス２００のデバイス表示部２２８に表示される画像の概略を示し、中段（３行目）は、デジタルカメラ１００のカメラ表示部１２８に表示される画像の概略を示し、下段（４行目）は、デジタルカメラ１００のカメラ撮像部１２０に設けられた撮像素子上における画像の様子を示す。
【００６３】
本撮影システム１では、まず、第２のユーザ９０２は、デバイス２００を操作して、図９のＡ列に示すように、デバイス表示部２２８に表示されたカメラ連携アイコン６０２をタッチする。その結果、カメラ連携アプリが起動する。すると、図９のＢ列に示すように、デバイス表示部２２８には、上部にデジタルカメラ１００で撮影した画像６１２が表示され、下部に構図リクエストモードを開始するための割り込みアイコン６０４が表示される。
【００６４】
第２のユーザ９０２が構図リクエストモードを開始するための割り込みアイコン６０４をタッチすると、図９のＢ列に示すように、デジタルカメラ１００のカメラ表示部１２８には、デバイス２００による撮影を許可する意思表示を示すためのアイコンであるカメラ制御要求アイコン６４４がスルー画６３２に重畳されて表示される。図９のＣ列に示すように、デジタルカメラ１００のカメラ制御要求アイコン６４４がタッチされると、デバイス２００による撮影が許可される。
【００６５】
このとき、デバイス２００のデバイス表示部２２８には、図９のＣ列に示すように、デジタルカメラ１００で撮影している画像６１２の下に、デバイス２００によって画角などが制御されるデバイス依頼領域の画像６２４が表示される。また、デバイス２００の制御下でデジタルカメラ１００に静止画撮影を行わせるための静止画撮影アイコン６０６とデバイス２００の制御下で動画撮影を行わせるための動画撮影アイコン６０８とがデバイス表示部２２８には表示される。
【００６６】
図９のＤ列に示すように、デバイス２００を操作する第２のユーザ９０２は、デバイス依頼領域の画像６２４上で行うピンチ及びスライド操作によって、デジタルカメラ１００による撮影を依頼するデバイス依頼領域の変更を要求する。この要求に応じて、デジタルカメラ１００は、デバイス２００によって操作される撮影領域を変更する。また、第２のユーザ９０２は、デバイス依頼領域の静止画撮影を行いたいときには、静止画撮影アイコン６０６をタッチし、動画撮影を行いないときには、動画撮影アイコン６０８をタッチする。これらのアイコンがタッチされることで、デジタルカメラ１００によって、デバイス依頼領域の撮影動作が行われる。デバイス２００によって操作が行われているとき、デジタルカメラ１００のカメラ表示部１２８には、デジタルカメラ１００の操作に応じて撮影するカメラ撮影領域のスルー画６３２と、デバイス２００によるスルー画６５６とが表示される。
【００６７】
図９のＢ列に示すように、カメラ撮像部１２０の撮像素子上における撮影領域７０２は、デジタルカメラ１００による撮影のみが行われているときには、デジタルカメラ１００による撮影範囲に応じて決定される。これに対して、デジタルカメラ１００とデバイス２００との操作によって撮影が行われているときは、図９のＤ列に示すように、デジタルカメラ１００による撮影範囲とデバイス２００による撮影範囲との両方を含むように撮像素子による撮影領域７０２が決定される。すなわち、図９のＤ列に示すように、撮像素子によって取得された画像のうち、デジタルカメラ１００による撮影範囲に相当する第１の領域７０４内の画像が電子ズームされることで、デジタルカメラ１００によって操作されるカメラ撮影領域の画像が生成され、デバイス２００による撮影範囲に相当する第２の領域７０６内の画像が電子ズームされることで、デバイス２００によって操作されるデバイス依頼領域の画像が生成される。
【００６８】
以上のような動作を行わせるために、デジタルカメラ１００において行われるカメラメイン制御に係る処理を図１０Ａ乃至図１５Ｂに示すフローチャートを参照して説明する。まず、デジタルカメラ１００の電源がＯＮになったときに開始されるカメラメイン制御について、図１０Ａ及び図１０Ｂを参照して説明する。
【００６９】
ステップＳ５０１において、カメラ制御部１１１は、電源がＯＦＦにされたか否かを判定する。ＯＦＦにされたと判定されたとき、カメラメイン制御は終了する。一方、ＯＦＦにされていないと判定されたとき、処理はステップＳ５０２に進む。ステップＳ５０２において、カメラ制御部１１１は、デジタルカメラ１００の各部を制御して撮像動作を行わせる。
【００７０】
ステップＳ５０３において、カメラ制御部１１１は、デバイス通信制御を行う。デバイス通信制御について図１１に示すフローチャートを参照して説明する。ステップＳ６０１において、カメラ制御部１１１は、デバイス通信モードがＯＮであるか否かを判定する。ＯＮではないと判定されたとき、処理は図１０Ａ及び図１０Ｂを参照して説明しているカメラメイン制御に戻る。一方、ＯＮであると判定されたとき、処理はステップＳ６０２に進む。
【００７１】
ステップＳ６０２において、カメラ制御部１１１は、デバイス２００との接続が確立されているか否かを判定する。接続が確立されていないと判定されたとき、処理はステップＳ６０３に進む。ステップＳ６０３において、カメラ制御部１１１は、デバイス２００を探索する。その後、処理はカメラメイン制御に戻る。
【００７２】
ステップＳ６０２においてデバイス２００との接続が確立されていると判定されたとき、処理はステップＳ６０４に進む。ステップＳ６０４において、カメラ制御部１１１は、デバイス２００からカメラ制御要求がされているか否かを判定する。カメラ制御要求がされていないと判定されたとき、処理はカメラメイン制御に戻る。一方、カメラ制御要求がされていると判定されたとき、処理はステップＳ６０５に進む。
【００７３】
ステップＳ６０５において、カメラ制御部１１１は、デバイス２００から要求されたカメラ制御を許可しているか否かを判定する。例えば図９のＣ列に示すように、ユーザによってカメラ制御要求アイコン６４４がタッチされると、カメラ制御部１１１はカメラ制御を許可するように動作する。カメラ制御を許可していないと判定されたとき、処理はステップＳ６０６に進む。ステップＳ６０６において、カメラ制御部１１１は、デバイス２００からカメラ制御要求がされたことを記憶部に保存する。その後、処理はカメラメイン制御に戻る。
【００７４】
ステップＳ６０５において、カメラ制御を許可していると判定されたとき、処理はステップＳ６０７に進む。ステップＳ６０７において、カメラ制御部１１１は、カメラ制御許可情報をデバイス２００に送信する。ステップＳ６０８において、カメラ制御部１１１は、デバイス２００から画角変更要求を受信し、受信した要求を記憶部に保存する。ステップＳ６０９において、カメラ制御部１１１は、デバイス２００から動画撮影要求を受信し、受信した要求を記憶部に保存する。ステップＳ６１０において、カメラ制御部１１１は、デバイス２００から静止画撮影要求を受信し、受信した要求を記憶部に保存する。その後、処理はカメラメイン制御に戻る。
【００７５】
図１０Ａ及び図１０Ｂに戻ってカメラメイン制御の続きを説明する。デバイス通信制御の後、ステップＳ５０４において、カメラ制御部１１１は、ズーム制御を行う。ズーム制御では、図９の下段（４行目）に示すように、デジタルカメラ１００が撮影を希望している領域と、デバイス２００が撮影を希望している領域との両方の領域が、撮影素子によって撮影されるように、画角が広い方に合わせてレンズユニット１６０の光学系が制御される。ズーム制御について、図１２に示すフローチャートを参照して説明する。
【００７６】
ステップＳ７０１において、カメラ制御部１１１は、デジタルカメラ１００において、ズーム操作がされたか否かを判定する。ズーム操作がされなかったと判定されたとき、処理はステップＳ７０４に進む。一方、ズーム操作がされたと判定されたとき、処理はステップＳ７０２に進む。ステップＳ７０２において、カメラ制御部１１１は、デジタルカメラ１００のズーム操作によって光学ズームが必要となったか否かを判定する。光学ズームが必要でないと判定されたとき、処理はステップＳ７０４に進む。一方、光学ズームが必要であると判定されたとき、処理はステップＳ７０３に進む。ステップＳ７０３において、カメラ制御部１１１は、光学ズームを制御する。
【００７７】
ステップＳ７０４において、カメラ制御部１１１は、デバイス２００から画角変更の要求がされたか否かを判定する。画角変更の要求がされなかったと判定されたとき、処理はカメラメイン制御に戻る。一方、画角変更の要求がされたと判定されたとき、処理はステップＳ７０５に進む。ステップＳ７０５において、カメラ制御部１１１は、変更画角算出処理を行う。本実施形態では、変更画角算出処理においてカメラ制御部１１１は、デバイス２００がズームインを要求しているかズームアウトを要求しているか等の情報に基づいて、カメラ撮像部１２０の撮像素子上の画像とデバイス２００が要求している画角との関係を算出する。
【００７８】
ステップＳ７０６において、カメラ制御部１１１は、デバイス２００が要求しているズーム後の画角が撮像素子上の撮影領域に影響を与えるか否かを判定する。影響を与えないと判定されたとき、処理はカメラメイン制御に戻る。一方、影響を与えると判定されたとき、処理はステップＳ７０７に進む。ステップＳ７０７において、カメラ制御部１１１は、光学ズームを制御する。その後、処理はカメラメイン処理に戻る。
【００７９】
図１０Ａ及び図１０Ｂに戻ってカメラメイン制御の続きを説明する。ズーム制御の後、ステップＳ５０５において、カメラ制御部１１１は、画像処理を行う。ここで行われる画像処理は、図９のＤ列下段に示すように、撮像素子によって得られた画像信号に基づいて、デジタルカメラ１００が要求している画像領域の画像とデバイス２００が要求している画像領域の画像とをそれぞれ作成する処理である。画像処理について、図１３に示すフローチャートを参照して説明する。
【００８０】
ステップＳ８０１において、カメラ制御部１１１は、デバイス２００と接続中であるか否かを判定する。接続中でないと判定されたとき、処理はステップＳ８０４に進む。一方、デバイス２００と接続中であると判定されたとき、処理はステップＳ８０２に進む。ステップＳ８０２において、カメラ制御部１１１は、デバイス２００が撮影を要求している画像領域であるデバイス依頼領域について、画像処理を行う。ここで行われる画像処理には、デバイス２００が要求している画像領域を切り出すデジタルズームが含まれる。このデジタルズームは、ステップＳ６０８において記憶された画角変更要求等の情報に基づいて行われる。その後、処理はステップＳ８０３に進む。ステップＳ８０３において、カメラ制御部１１１は、デバイス依頼領域を記憶部に保存する。その後、処理はステップＳ８０４に進む。
【００８１】
ステップＳ８０４において、カメラ制御部１１１は、第１のユーザが要求しているデジタルカメラ１００が取得すべき撮影領域について、画像処理を行う。ここで行われる画像処理には、デジタルカメラ１００が取得すべき画像領域を切り出すデジタルズームが含まれる。その後、処理はステップＳ８０５に進む。ステップＳ８０５において、カメラ制御部１１１は、カメラ撮影領域画像を記憶部に保存する。その後、処理はカメラメイン制御に戻る。
【００８２】
カメラメイン制御に戻って説明を続ける。画像処理の後、ステップＳ５０６において、カメラ制御部１１１は、スルー画表示処理を行う。スルー画表示処理では、カメラ表示部１２８にカメラ撮影領域の撮像画像を表示させたり、デバイス２００にデバイス依頼領域の画像を送信したりする。スルー画表示処理について、図１４に示すフローチャートを参照して説明する。
【００８３】
ステップＳ９０１において、カメラ制御部１１１は、デバイス２００と接続しているか否かを判定する。デバイス２００と接続していないと判定されたとき、処理はステップＳ９０７に進む。一方、デバイス２００と接続されていると判定されたとき、処理はステップＳ９０２に進む。ステップＳ９０２において、カメラ制御部１１１は、デバイス２００よりカメラ制御要求がされているか否かを判定する。カメラ制御要求がされていないと判定されたとき、処理はステップＳ９０７に進む。一方、カメラ制御要求がされていると判定されたとき、処理はステップＳ９０３に進む。
【００８４】
ステップＳ９０３において、カメラ制御部１１１は、デバイス２００によるカメラ制御が許可されているか否かを判定する。カメラ制御が許可されていないと判定されたとき、処理はステップＳ９０４に進む。ステップＳ９０４において、カメラ制御部１１１は、図９のＢ列に示すように、デバイス２００からカメラ制御の要求がされている旨を表すカメラ制御要求アイコン６４４を表示に含ませる。その後処理はステップＳ９０７に進む。
【００８５】
ステップＳ９０３の判定において、カメラ制御が許可されていると判定されたとき、処理はステップＳ９０５に進む。ステップＳ９０５において、カメラ制御部１１１は、デバイス依頼領域の画像をスルー画用に描画する。ステップＳ９０６において、カメラ制御部１１１は、描画したデバイス依頼領域のスルー画をデバイス２００に送信する。その後、処理はステップＳ９０７に進む。
【００８６】
ステップＳ９０７において、カメラ制御部１１１は、カメラ撮影領域の画像についてスルー画用に描画する。ここで、ステップＳ９０４において、カメラ制御要求アイコンを含ませることになっているときは、スルー画にカメラ制御要求アイコンを重畳させる。ステップＳ９０８において、カメラ制御部１１１は、作成したスルー画をカメラ表示部１２８に表示させる。その後、処理はカメラメイン制御に戻る。
【００８７】
カメラメイン制御に戻って説明を続ける。スルー画表示処理の後、ステップＳ５０７において、カメラ制御部１１１は、カメラ制御要求アイコン６４４がタッチされたか否かを判定する。タッチされていないと判定されたとき、処理はステップＳ５０９に進む。一方、タッチされたと判定されたとき、処理はステップＳ５０８に進む。ステップＳ５０８において、カメラ制御部１１１は、デバイス２００によるカメラ制御を許可する。その後、処理はステップＳ５０９に進む。
【００８８】
ステップＳ５０９において、カメラ制御部１１１は、デジタルカメラ１００による動画記録がＯＮであるか否かを判定する。例えば録画開始ボタンが押されてから録画停止ボタンが押されるまでの間は、動画記録がＯＮであることになる。ＯＮでないと判定されたとき、処理はステップＳ５１１に進む。一方、ＯＮであると判定されたとき、処理はステップＳ５１０に進む。ステップＳ５１０において、カメラ制御部１１１は、カメラ撮影領域の画像について動画で記録する処理を行う。その後、処理はステップＳ５１１に進む。
【００８９】
ステップＳ５１１において、カメラ制御部１１１は、デジタルカメラ１００による静止画撮影がＯＮであるか否かを判定する。例えばレリーズボタンが押されたとき、静止画撮影がＯＮであることになる。ＯＮでないと判定されたとき、処理はステップＳ５１３に進む。一方、ＯＮであると判定されたとき、処理はステップＳ５１２に進む。ステップＳ５１２において、カメラ制御部１１１は、カメラ撮影領域の画像について、静止画で記録する処理を行う。その後、処理はステップＳ５１３に進む。
【００９０】
ステップＳ５１３において、カメラ制御部１１１は、デバイス２００から動画記録の要求があるか否かを判定する。動画記録の要求がないと判定されたとき、処理はステップＳ５１６に進む。一方、動画記録の要求があると判定されたとき、処理はステップＳ５１４に進む。ステップＳ５１４において、カメラ制御部１１１は、デバイス依頼領域について動画で記録する処理を行う。ステップＳ５１５において、カメラ制御部１１１は、カメラ表示部１２８に、デバイス依頼領域が記録中であることを示す表示を行わせる。このデバイス依頼領域が記録中であることを示す表示は、例えば図９のＤ列に示すように、デジタルカメラ１００で撮影しているスルー画に、デバイス依頼領域を小さく重畳表示させることで行われる。その後、処理はステップＳ５１６に進む。
【００９１】
ステップＳ５１６において、カメラ制御部１１１は、デバイス２００から静止画撮影の要求があるか否かを判定する。静止画撮影の要求がないと判定されたとき、処理はステップＳ５０１に戻る。一方、静止画撮影の要求があると判定されたとき、処理はステップＳ５１７に進む。ステップＳ５１７において、カメラ制御部１１１は、デバイス依頼領域について静止画で記録する処理を行う。ステップＳ５１８において、カメラ制御部１１１は、カメラ表示部１２８に、デバイス依頼領域が記録中であることを示す表示を行わせる。その後、処理はステップＳ５０１に戻る。
【００９２】
次に、デバイス２００で行われるデバイスメイン制御について、図１５Ａ及び図１５Ｂに示すフローチャートを参照して説明する。ステップＳ１００１において、デバイス制御部２１１は、デバイス２００の電源がＯＦＦにされたか否かを判定する。電源がＯＦＦにされたと判定されたとき、処理は終了する。一方、電源がＯＦＦにされていないと判定されたとき、処理はステップＳ１００２に進む。ステップＳ１００２において、デバイス制御部２１１は、図９のＡ列に示すような、カメラ連携アイコン６０２がタッチされたか否かを判定する。カメラ連携アイコン６０２がタッチされていないと判定されたとき、処理はステップＳ１０２０に進む。一方、カメラ連携アイコン６０２がタッチされたと判定されたとき、処理はステップＳ１００３に進む。
【００９３】
ステップＳ１００３において、デバイス制御部２１１は、カメラ連携アプリを起動する。ステップＳ１００４において、デバイス制御部２１１は、カメラ連携アプリが終了されたか否かを判定する。カメラ連携アプリが終了されたと判定されたとき、処理はステップＳ１０２０に進む。一方、カメラ連携アプリが終了されていないと判定されたとき、処理はステップＳ１００５に進む。
【００９４】
ステップＳ１００５において、デバイス制御部２１１は、デジタルカメラ１００と接続しているか否かを判定する。デジタルカメラ１００と接続していないと判定されたとき、処理はステップＳ１００６に進む。ステップＳ１００６において、デバイス制御部２１１は、デジタルカメラ１００を探索する。ステップＳ１００７において、デバイス制御部２１１は、デジタルカメラ１００が見つかったか否かを判定する。デジタルカメラ１００が見つからなかったと判定されたとき、処理はステップＳ１００４に戻る。一方、デジタルカメラ１００が見つかったと判定されたとき、処理はステップＳ１００８に進む。ステップＳ１００８において、デバイス制御部２１１は、初期接続制御処理を行う。その後、処理はステップＳ１００４に戻る。
【００９５】
ステップＳ１００５の判定において、デジタルカメラ１００と接続していると判定されたとき、処理はステップＳ１００９に進む。ステップＳ１００９において、デバイス制御部２１１は、デジタルカメラ１００からスルー画を受信しているか否かを判定する。スルー画を受信していないと判定されたとき、処理はステップＳ１０１１に進む。一方、スルー画を受信していると判定されたとき、処理はステップＳ１０１０に進む。ステップＳ１０１０において、デバイス制御部２１１は、図９のＢ列に示すように、デジタルカメラ１００から送られてきたスルー画を、デバイス表示部２２８に表示させる。その後、処理はステップＳ１０１１に進む。
【００９６】
ステップＳ１０１１において、デバイス制御部２１１は、図９のＢ列に示すように、デジタルカメラ１００を制御するための割り込みアイコン６０４がタッチされたか否かを判定する。割り込みアイコン６０４がタッチされていないと判定されたとき、処理はステップＳ１００４に戻る。一方、割り込みアイコン６０４がタッチされたと判定されたとき、処理はステップ１０１２に進む。ステップＳ１０１２において、デバイス制御部２１１は、デジタルカメラ１００にカメラ制御要求を送信する。ステップＳ１０１３において、デバイス制御部２１１は、デジタルカメラ１００からカメラ制御が許可されているか否かを判定する。カメラ制御が許可されていないと判定されたとき、処理はステップＳ１００４に戻る。一方、カメラ制御が許可されていると判定されたとき、処理はステップＳ１０１４に進む。
【００９７】
ステップＳ１０１４において、デバイス制御部２１１は、動画撮影を行うための操作がされたか否かを判定する。動画撮影を行うための操作は、例えば図９のＣ列に示すように、動画撮影アイコン６０８がタッチされることである。動画撮影操作がされていないと判定されたとき、処理はステップＳ１０１６に進む。一方、動画撮影操作がされていると判定されたとき、処理はステップＳ１０１５に進む。ステップＳ１０１５において、デバイス制御部２１１は、デジタルカメラ１００に動画撮影要求を送信する。その後、処理はステップＳ１０１６に進む。
【００９８】
ステップＳ１０１６において、デバイス制御部２１１は、静止画撮影のための操作が行われたか否かを判定する。静止画撮影を行うための操作は、例えば図９のＣ列に示すように、静止画撮影アイコン６０６がタッチされることである。静止画撮影のための操作が行われなかったと判定されたとき、処理はステップＳ１０１８に進む。一方、静止画撮影のための操作が行われたと判定されたとき、処理はステップＳ１０１７に進む。ステップＳ１０１７において、デバイス制御部２１１は、デジタルカメラ１００に静止画撮影要求を送信する。その後、処理はステップＳ１０１８に進む。
【００９９】
ステップＳ１０１８において、デバイス制御部２１１は、ズーム操作が行われたか否かを判定する。ズーム操作は、例えば図９のＣ列に示すように、ピンチ操作によって行われる。ズーム操作が行われなかったと判定されたとき、処理はステップＳ１００４に戻る。一方、ズーム操作が行われたと判定されたとき、処理はステップＳ１０１９に進む。ステップＳ１０１９において、デバイス制御部２１１は、デジタルカメラ１００にズーム操作要求処理を行う。本実施形態では、デバイス制御部２１１は、デジタルカメラ１００にデバイス２００がズームインを要求するかズームアウトを要求するかに係る情報を送信する。その後、処理はステップＳ１００４に戻る。
【０１００】
本実施形態では、図１６（ａ）に示すように、撮影領域７０２−１の中に、デジタルカメラ１００によって撮影されるカメラ撮影領域７０４−１と、デバイス２００によって撮影されるデバイス依頼領域７０６−１とが含まれるように、カメラ撮像部１２０の光学ズームが調整される。例えば図１６（ｂ）に示すように、デバイス依頼領域７０６−２が光学中心に寄ったとき、カメラ撮影領域７０４−２とデバイス依頼領域７０６−２とが収まるように、光学ズームによって撮影領域７０２−２が変更される。
【０１０１】
以上説明した本実施形態によれば、デジタルカメラ１００は、デジタルカメラ１００を操作する第１のユーザ９０１が所望する画像と、デバイス２００を操作する第２のユーザ９０２が所望する画像とを同時に取得することができる。
【０１０２】
［第２の実施形態の第１の変形例］
第２の実施形態の第１の変形例について説明する。ここでは、第２の実施形態との相違点について説明し、同一の部分については、同一の符号を付してその説明を省略する。本変形例では、図１２を参照して説明したズーム制御のステップＳ７０５の変更画角算出処理において、デジタルカメラ１００とデバイス２００と被写体との位置関係を、デジタルカメラ１００とデバイス２００とが計測することで、レンズの焦点距離が算出される。本変形例では、デバイス２００は、デバイス撮像部２２０で取得した画像をデジタルカメラ１００に送信する。また、デバイス２００は、被写体の位置関係を測定及び算出して、その結果をデジタルカメラ１００に送信する。
【０１０３】
例えば図１７に示すような場面を考える。デジタルカメラ１００が第１の被写体９１１を撮影していたときに、デバイス２００が第１の被写体９１１と第２の被写体９１２とを撮影したいと要求したとする。このとき、デジタルカメラ１００の画角は、当初は第１の被写体９１１が収まる画角αであったところから、第１の被写体９１１と第２の被写体９１２とが収まる画角βにする必要がある。このため、レンズユニット１６０を制御するカメラ制御部１１１は、デジタルカメラ１００と第１の被写体９１１とを結ぶ線と、デジタルカメラ１００と第２の被写体９１２とを結ぶ線とがなす角度θを知ることができればよい。
【０１０４】
本変形例では、図１８に示すように、まず、デバイス２００は、デバイス２００と第１の被写体９１１との間の第１の距離Ｌ１を測定する。距離の測定には、オートフォーカスに用いられる種々の技術が用いられ得る。次に、デバイス２００は、デバイス２００と第２の被写体９１２との間の第２の距離Ｌ２を測定する。続いて、デバイス２００は、第１の被写体９１１と第２の被写体９１２とがなす第１の角度θ１を測定する。計測された第１の距離Ｌ１と第２の距離と第１の角度θ１とに基づいて、デバイス２００は、第１の被写体９１１と第２の被写体９１２との間の第３の距離Ｌ３を算出する。続いて、デバイス２００は、第１の距離Ｌ１と第２の距離Ｌ２と第３の距離Ｌ３とに基づいて、第１の被写体９１１と第２の被写体９１２とを結んだ線と、第１の被写体９１１とデバイス２００とを結んだ線とがなす第２の角度θ２を算出する。デバイス２００は、第２の角度θ２をデジタルカメラ１００に送信する。また、デバイス２００は、デバイス撮像部２２０を用いて撮影したデバイス依頼領域を含む画像をデジタルカメラ１００に送信する。
【０１０５】
デジタルカメラ１００は、デジタルカメラ１００と第１の被写体９１１との間の第４の距離Ｌ４を測定する。また、デジタルカメラ１００は、デジタルカメラ１００と第１の被写体９１１とを結んだ線と、デバイス２００と第１の被写体９１１とを結んだ線とがなす第３の角度θ３を算出する。ここで、第３の角度θ３は、デジタルカメラ１００で撮影された第１の画像９３１に写った第１の被写体９１１の顔の向きと、デバイス２００で撮影された第２の画像９３２に写った第１の被写体９１１の顔の向きとに基づいて算出される。このとき、第１の画像９３１と第２の画像９３２とは、同時に撮影された画像である。
【０１０６】
デジタルカメラ１００は、上記のようにして得られた第３の距離Ｌ３と第４の距離Ｌ４と第２の角度θ２と第３の角度θ３とに基づいて、デジタルカメラ１００と第１の被写体９１１とを結んだ線と、デジタルカメラ１００と第２の被写体９１２とを結んだ線とがなす角度θを算出する。
【０１０７】
デジタルカメラ１００で行われる図１２を参照して説明したズーム制御のステップＳ７０５の変更画角算出処理について、図１９を参照して説明する。ステップＳ１１０１において、カメラ制御部１１１は、デバイスから、第２の角度θ２と、デバイス２００で撮影された第２の画像９３２との情報を取得する。ステップＳ１１０２において、カメラ制御部１１１は、デバイス２００で撮影された画像が顔情報を含んでいるか否かを判定する。顔情報を含んでいると判定されたとき、処理はステップＳ１１０３に進む。ステップＳ１１０３において、カメラ制御部１１１は、第４の距離Ｌ４を測定する。ステップＳ１１０４において、カメラ制御部１１１は、第３の角度θ３を算出する。ステップＳ１１０５において、カメラ制御部１１１は、角度θを算出する。その後、処理はズーム制御に戻る。
【０１０８】
ステップＳ１１０１の判定において、顔情報を含んでいないと判定されたとき、処理はステップＳ１１０６に進む。ステップＳ１１０６において、カメラ制御部１１１は、角度θが算出不能であることを決定する。その後、処理はズーム制御に戻る。角度θが算出不能である場合、ズームの調整は、第２の実施形態の場合と同様に、デバイス２００の操作に従って行われる。
【０１０９】
本変形例係るデバイス２００で行われる図１５Ａ及び図１５Ｂを参照して説明したデバイスメイン処理のステップＳ１０１９で行われるズーム操作要求送信処理について、図２０を参照して説明する。ステップＳ１２０１において、デバイス制御部２１１は、デバイス撮像部２２０で取得された第２の画像９３２をデジタルカメラ１００に送信する。ステップＳ１２０２において、デバイス制御部２１１は、第１の距離Ｌ１を測定する。ステップＳ１２０３において、デバイス制御部２１１は、第２の距離Ｌ２を測定する。ステップＳ１２０４において、デバイス制御部２１１は、第１の角度θ１を算出する。ステップＳ１２０５において、デバイス制御部２１１は、第３の距離Ｌ３を算出する。プＳ１２０６において、デバイス制御部２１１は、第２の角度θ２を算出する。ステップＳ１２０７において、デバイス制御部２１１は、第２の角度θ２を含む被写体やデバイス２００の位置関係を表す位置情報をデジタルカメラ１００に送信する。
【０１１０】
以上のように動作する本変形例によれば、デジタルカメラ１００とデバイス２００と被写体との位置関係から角度θが算出されることにより、デジタルカメラ１００は、カメラ撮像部１２０の焦点距離を決定することができる。その結果、デジタルカメラ１００は、カメラ撮像部１２０の光学系を目標とする焦点距離に素早くセットすることができる。
【０１１１】
なお、本変形例では、被写体の顔の角度を用いて角度θが算出される例を示した。しかしながら顔に限らず、対応する種々の被写体の角度に基づいて、角度θは算出され得る。
【０１１２】
［第２の実施形態の第２の変形例］
第２の実施形態の第２の変形例について説明する。ここでは、第２の実施形態の第１の変形例との相違点について説明し、同一の部分については、同一の符号を付してその説明を省略する。本変形例では、デジタルカメラ１００とデバイス２００とは、ＧＰＳセンサを有しており、自身の位置情報を取得できる。また、デジタルカメラ１００とデバイス２００とは、地磁気センサを有しており、自身が向いている方向を取得できる。これらの情報を用いて、角度θを次のように算出する。
【０１１３】
デバイス２００は、第１の変形例の場合と同様に、第１の距離Ｌ１と第２の距離Ｌ２と第１の角度θ１とを測定する。これらの値と、デバイス２００の位置（Ｘ４，Ｙ４）及びデバイス２００の向きに基づいて、第１の被写体９１１の位置（Ｘ１，Ｙ１）と、第２の被写体９１２の位置（Ｘ２，Ｙ２）とを算出する。
【０１１４】
デジタルカメラ１００は、デジタルカメラ１００の位置（Ｘ３，Ｙ３）と、第１の被写体９１１の位置（Ｘ１，Ｙ１）と、第２の被写体９１２の位置（Ｘ２，Ｙ２）とに基づいて、角度θを算出する。
【０１１５】
本変形例によっても、角度θが取得され得るので、第２の実施形態の第１の変形例と同様の効果が得られる。
【０１１６】
第２の実施形態の第１の変形例と第２の変形例とでは、デジタルカメラ１００の操作による撮影とデバイス２００の操作による撮影とが同時に行われる、いわゆるマルチレコーディングが行われる例を示したが、これに限らない。デバイス２００の操作による撮影のみが行われるものでもよい。
【０１１７】
以上、第１の実施形態、第２の実施形態及びこれらの変形例で説明した技術のうち、主にフローチャートで説明した制御に関しては、プログラムを用いて実現され得る。このプログラムは、記録媒体や記録部に収められ得る。この記録媒体又は記録部への記録の方法は様々であり、製品出荷時に記録されてもよく、配布された記録媒体が利用されて記録されてもよく、インターネットを介したダウンロードが利用されて記録されてもよい。
【０１１８】
なお、本発明の上記実施形態には、以下の発明も含まれる。
［１］
被写体像を撮像する撮像部と、
撮影者からの第１の操作を受け付ける操作部と、
外部機器から第２の操作を受信する通信部と、
前記第１の操作と前記撮像部で取得した画像とに基づいて第１の画像を生成し、前記第２の操作と前記撮像部で取得した画像とに基づいて第２の画像を生成する画像処理部と、
を具備する撮像装置。
［２］
前記撮像部はズーム光学系を有し、
前記第１の操作に基づいて前記第１の画像のための第１の撮像範囲を決定し、前記第２の操作に基づいて前記第２の画像のための第２の撮像範囲を決定し、前記第１の撮像範囲と前記第２の撮像範囲とを撮像するように前記ズーム光学系を制御する制御部をさらに具備する［１］に記載の撮像装置。
【符号の説明】
【０１１９】
１…撮影システム、１００…デジタルカメラ、１１０…カメラ演算部、１１１…カメラ制御部、１１２…カメラ画像処理部、１２０…カメラ撮像部、１２８…カメラ表示部、１３０…カメラタッチパネル、１３４…カメラ記録部、１３６…カメラ操作部、１３８…カメラ通信部、１６０…レンズユニット、１６１…レンズ、１６２…絞り、１６３…ドライバ、１６４…マイコン、１６５…インタフェース（Ｉ／Ｆ）、１７０…本体ユニット、１７１…撮像素子、１７２…ＣＰＵ、１７４…Ｆｌａｓｈメモリ、１７５…画像処理部、１７６…顔検出部、１７７…メモリインタフェース（Ｉ／Ｆ）、１７８…記録媒体、１７９…カメラ間通信部、１８０…外部通信部、１８２…加速度センサ、１８３…時計、１８４…操作制御部、１８５…操作部、１８６…ＬＣＤドライバ、１８７…液晶ディスプレイ（ＬＣＤ）、１８８…通信部、２００…デバイス、２１０…デバイス演算部、２１１…デバイス制御部、２１２…デバイス画像処理部、２２０…デバイス撮像部、２２８…デバイス表示部、２３０…デバイスタッチパネル、２３４…デバイス記録部、２３６…デバイス操作部、２３８…デバイス通信部。
【図１】
2015211236.tif 000003
【図２】
2015211236.tif 000004
【図３】
2015211236.tif 000005
【図４】
2015211236.tif 000006
【図５】
2015211236.tif 000007
【図６】
2015211236.tif 000008
【図７】
2015211236.tif 000009
【図８Ａ】
2015211236.tif 000010
【図８Ｂ】
2015211236.tif 000011
【図９】
2015211236.tif 000012
【図１０Ａ】
2015211236.tif 000013
【図１０Ｂ】
2015211236.tif 000014
【図１１】
2015211236.tif 000015
【図１２】
2015211236.tif 000016
【図１３】
2015211236.tif 000017
【図１４】
2015211236.tif 000018
【図１５Ａ】
2015211236.tif 000019
【図１５Ｂ】
2015211236.tif 000020
【図１６】
2015211236.tif 000021
【図１７】
2015211236.tif 000022
【図１８】
2015211236.tif 000023
【図１９】
2015211236.tif 000024
【図２０】
2015211236.tif 000025
【図２１】
2015211236.tif 000026